(57)【要約】  開示された実施例は、色相、イメージまたはテキストと共に衣類に具現されるデザインが変更可能なスマート衣類を提供する。また、スマート衣類に具現しようとする多様なデザインを提供するサーバーと、サーバーから多様なデザインを受信してスマート衣類に伝達することによって、スマート衣類のデザインが変更できるユーザー端末を含むシステムを提供する。開示された実施例に係るシステムは、スマート衣類に対するデザインデータベースを含むサーバー；前記サーバーから前記スマート衣類に対するデザインをダウンロードするユーザー端末；および前記ユーザー端末から伝送されたデザインを具現するスマート衣類；を含む。
2019504372.tif 000002
【特許請求の範囲】
【請求項１】
サーバーおよびスマート衣類と通信を行う通信部；
前記サーバーから伝送されて前記通信部で受信した前記スマート衣類のデザインを表示するディスプレイ部；および
前記ディスプレイ部に表示された前記スマート衣類のデザインが選択されると、前記選択されたデザイン情報を含む信号を前記通信部を介して前記スマート衣類に伝送するプロセッサ；を含む、ユーザー端末。
【請求項２】
前記ディスプレイ部は、
スマート衣類の検索のための命令を受信するように設けられた検索ボタン、前記検索ボタンを介して命令が入力されると、検索されたスマート衣類を表示する衣類表示領域、前記衣類表示領域に表示された衣類のうち選択された衣類とのペアリングのための命令を受信するように設けられたペアリングボタンを表示する、請求項１に記載のユーザー端末。
【請求項３】
前記ディスプレイ部は、
前記ペアリングボタンを介して前記選択されたスマート衣類が前記ユーザー端末とペアリングされると、ペアリングされたスマート衣類を前記衣類表示領域に表示する、請求項２に記載のユーザー端末。
【請求項４】
前記プロセッサは、前記検索ボタンを介して命令が入力されると、前記ユーザー端末周辺のスマート衣類を検索し、前記ペアリングボタンを介して命令が入力されると、前記検索されたスマート衣類のうちユーザーによって選択されたスマート衣類とペアリング（ｐａｉｒｉｎｇ）する、請求項２に記載のユーザー端末。
【請求項５】
前記ディスプレイ部は、
スマート衣類を表示する衣類表示領域、前記衣類表示領域に表示されたスマート衣類の色相を選択できるように設けられた色相選択領域、前記衣類表示領域に表示されたスマート衣類に具現されるイメージを選択できるように設けられたイメージ選択領域、前記衣類表示領域に表示されたスマート衣類に具現されるテキストを入力できるように設けられたテキスト入力領域を表示する、請求項１に記載のユーザー端末。
【請求項６】
前記ディスプレイ部は、
前記色相選択領域を前記衣類表示領域の下段に表示し、前記イメージ選択領域を前記色相選択領域の下段に表示し、前記テキスト入力領域を前記イメージ選択領域の下段に表示する、請求項５に記載のユーザー端末。
【請求項７】
前記ディスプレイ部は、
前記衣類表示領域に表示されたスマート衣類がユーザー端末とペアリングされていると、前記衣類表示領域に表示されたスマート衣類が前記ユーザー端末とペアリングされた状態であることを示すオブジェクトを表示する、請求項５に記載のユーザー端末。
【請求項８】
前記ディスプレイ部は、
衣類表示領域に表示されたスマート衣類が変更されると、前記色相選択領域およびイメージ選択領域に表示される色相およびイメージの種類を前記変更されたスマート衣類と関連した色相およびイメージに変更して表示する、請求項５に記載のユーザー端末。
【請求項９】
前記ディスプレイ部は、
前記イメージ選択領域に前記サーバーから受信したイメージ、前記ユーザー端末に保存されているイメージおよびユーザー端末のカメラ駆動のためのオブジェクトのうち少なくとも一つを表示する、請求項５に記載のユーザー端末。
【請求項１０】
前記ディスプレイ部は、
前記オブジェクトが選択され、前記カメラの撮影が実行されると、前記撮影されたイメージを前記衣類表示領域に表示されたスマート衣類に適用する、請求項９に記載のユーザー端末。
【請求項１１】
前記プロセッサは、前記撮影されたイメージを前記スマート衣類に伝送する、請求項１０に記載のユーザー端末。
【請求項１２】
前記プロセッサは、前記イメージ選択領域に表示されたイメージが選択されると、前記選択されたイメージを前記スマート衣類に伝送し、
前記ディスプレイ部は前記衣類表示領域に表示されたスマート衣類に前記選択されたイメージを表示する、請求項５に記載のユーザー端末。
【請求項１３】
前記プロセッサは、前記色相選択領域に表示された色相が選択されると、前記選択された色相を前記スマート衣類に伝送し、
前記ディスプレイ部は前記衣類表示領域に表示されたスマート衣類に前記選択された色相を適用する、請求項５に記載のユーザー端末。
【請求項１４】
前記プロセッサは、前記テキスト入力領域にテキストが入力されると、前記入力されたテキストを前記スマート衣類に伝送し、
前記ディスプレイ部は前記衣類表示領域に表示されたスマート衣類に前記入力されたテキストを表示する、請求項５に記載のユーザー端末。
【請求項１５】
前記プロセッサは、位置情報または天気情報に基づいて、前記スマート衣類に具現されるデザインを生成して前記通信部を介して前記スマート衣類に伝送する、請求項１に記載のユーザー端末。
【請求項１６】
前記プロセッサは、前記ユーザー端末の周辺情報に基づいたデザインを生成し、生成したデザインを前記スマート衣類に伝送する周辺環境認識モードを提供する、請求項１に記載のユーザー端末。
【請求項１７】
ユーザー端末でサーバーから色相、イメージ、テキストおよびその組み合わせを含むスマート衣類のデザインを受信し；
前記ユーザー端末で前記受信したデザインを表示し；
前記表示されたデザインが選択されると、前記スマート衣類のデザインが前記選択されたデザインに変更され得るように、前記ユーザー端末で前記スマート衣類に前記選択されたデザインを伝送すること；を含む、スマート衣類のデザイン変更方法。
【請求項１８】
前記ユーザー端末でスマート衣類を検索し；
検索されたスマート衣類を前記ユーザー端末で表示し；
表示されたスマート衣類が選択されると、前記ユーザー端末で前記スマート衣類とペアリングを遂行すること；をさらに含む、請求項１７に記載のスマート衣類のデザイン変更方法。
【請求項１９】
前記デザインを受信することは、
前記ユーザー端末と前記スマート衣類がペアリングされると、前記ユーザー端末で前記スマート衣類から伝送された識別情報を受信し；
前記ユーザー端末で前記受信した識別情報を前記サーバーに伝送し；
前記ユーザー端末で前記サーバーから伝送される前記識別情報に対応するスマート衣類のデザインを受信すること；を含む、請求項１８に記載のスマート衣類のデザイン変更方法。
【発明の詳細な説明】
【技術分野】
【０００１】
開示された技術は、色相やイメージなどのデザインの変更が可能な衣類に関するものである。
【背景技術】
【０００２】
最近ではインターネット機能を搭載したウェアラブルデバイスが多様に開発されている。このような趨勢と共に事物インターネット技術も持続的に発達している。
【０００３】
電子製品だけでなく、人々が着用する衣類にも事物インターネット技術を導入して多様な機能を遂行する衣類を開発しようとする研究が持続的に行われている。
【発明の概要】
【発明が解決しようとする課題】
【０００４】
開示された実施例は、色相、イメージまたはテキストのように衣類に具現されるデザインが変更可能なスマート衣類を提供する。
【０００５】
また、スマート衣類に具現しようとする多様なデザインを提供するサーバーと、サーバーから多様なデザインを受信してスマート衣類で伝達することによって、スマート衣類のデザインが変更できるユーザー端末を含むシステムを提供する。
【課題を解決するための手段】
【０００６】
開示された実施例に係るシステムは、色相、イメージ、テキストおよびその組み合わせを含むデザインの変更が可能であるように設けられるスマート衣類；前記スマート衣類に対するデザインデータベースを含むサーバー；前記スマート衣類に対するデザインを前記サーバーにアップロードする供給者端末；および前記サーバーから前記スマート衣類に対するデザインをダウンロードし、前記スマート衣類のデザインが変更されるように前記スマート衣類のデザインに対する信号を前記スマート衣類に伝送するように設けられるユーザー端末；を含む。
【０００７】
また、前記スマート衣類は、変色繊維および織物繊維を含む生地と前記ユーザー端末から伝送される信号を受信するように設けられる連結モジュールを含むことができる。
【０００８】
また、前記変色繊維は、コレステリック液晶繊維、電子インク繊維、電気変色繊維および電気発光繊維のうち少なくとも一つを含むことができる。
【０００９】
また、前記ユーザー端末は、前記スマート衣類とペアリングし、前記ペアリングされたスマート衣類にユーザーによって選択されたデザインを伝送することができる。
【００１０】
また、前記ユーザー端末は、スマート衣類を表示する衣類表示領域、前記衣類表示領域に表示されたスマート衣類の色相を選択できるように設けられた色相選択領域、前記衣類表示領域に表示されたスマート衣類に具現されるイメージを選択できるように設けられたイメージ選択領域、前記衣類表示領域に表示されたスマート衣類に具現されるテキストを入力できるように設けられたテキスト入力領域を表示することができる。
【００１１】
開示された実施例に係るユーザー端末は、サーバーおよびスマート衣類と通信を行う通信部；前記サーバーから伝送されて前記通信部で受信した前記スマート衣類のデザインを表示するディスプレイ部；および前記ディスプレイ部に表示された前記スマート衣類のデザインが選択されると、前記選択されたデザイン情報を含む信号を前記通信部を介して前記スマート衣類に伝送するプロセッサ；を含む。
【００１２】
また、前記ディスプレイ部は、スマート衣類の検索のための命令を受信するように設けられた検索ボタン、前記検索ボタンを通じての命令が入力されると、検索されたスマート衣類を表示する衣類表示領域、前記衣類表示領域に表示された衣類のうち選択された衣類とのペアリングのための命令を受信するように設けられたペアリングボタンを表示することができる。
【００１３】
また、前記ディスプレイ部は、前記ペアリングボタンを介して前記選択されたスマート衣類が前記ユーザー端末とペアリングされると、ペアリングされたスマート衣類を前記衣類表示領域に表示することができる。
【００１４】
また、前記プロセッサは、前記検索ボタンを通じての命令が入力されると、前記ユーザー端末周辺のスマート衣類を検索し、前記ペアリングボタンを通じての命令が入力されると、前記検索されたスマート衣類のうちユーザーによって選択されたスマート衣類とペアリング（ｐａｉｒｉｎｇ）することができる。
【００１５】
また、前記ディスプレイ部は、スマート衣類を表示する衣類表示領域、前記衣類表示領域に表示されたスマート衣類の色相を選択できるように設けられた色相選択領域、前記衣類表示領域に表示されたスマート衣類に具現されるイメージを選択できるように設けられたイメージ選択領域、前記衣類表示領域に表示されたスマート衣類に具現されるテキストを入力できるように設けられたテキスト入力領域を表示することができる。
【００１６】
また、前記ディスプレイ部は、前記色相選択領域を前記衣類表示領域の下段に表示し、前記イメージ選択領域を前記色相選択領域の下段に表示し、前記テキスト入力領域を前記イメージ選択領域の下段に表示することができる。
【００１７】
また、前記ディスプレイ部は、前記衣類表示領域に表示されたスマート衣類がユーザー端末とペアリングされていると、前記衣類表示領域に表示されたスマート衣類が前記ユーザー端末とペアリングされた状態であることを示すオブジェクトを表示することができる。
【００１８】
また、前記ディスプレイ部は、衣類表示領域に表示されたスマート衣類が変更されると、前記色相選択領域およびイメージ選択領域に表示される色相およびイメージの種類を前記変更されたスマート衣類と関連した色相およびイメージに変更して表示することができる。
【００１９】
また、前記ディスプレイ部は、前記イメージ選択領域に前記サーバーから受信したイメージ、前記ユーザー端末に保存されているイメージおよびユーザー端末のカメラの駆動のためのオブジェクトのうち少なくとも一つを表示することができる。
【００２０】
また、前記ディスプレイ部は、前記オブジェクトが選択され、前記カメラの撮影が行われると、前記撮影されたイメージを前記衣類表示領域に表示されたスマート衣類に適用することができる。
【００２１】
また、前記プロセッサは、前記撮影されたイメージを前記スマート衣類に伝送することができる。
【００２２】
また、前記プロセッサは、前記イメージ選択領域に表示されたイメージが選択されると、前記選択されたイメージを前記スマート衣類に伝送し、前記ディスプレイ部は前記衣類表示領域に表示されたスマート衣類に前記選択されたイメージを表示することができる。
【００２３】
また、前記プロセッサは、前記色相選択領域に表示された色相が選択されると、前記選択された色相を前記スマート衣類に伝送し、前記ディスプレイ部は前記衣類表示領域に表示されたスマート衣類に前記選択された色相を適用することができる。
【００２４】
また、前記プロセッサは、前記テキスト入力領域にテキストが入力されると、前記入力されたテキストを前記スマート衣類に伝送し、前記ディスプレイ部は前記衣類表示領域に表示されたスマート衣類に前記入力されたテキストを表示することができる。
【００２５】
また、前記プロセッサは、位置情報または天気情報に基づいて、前記スマート衣類に具現されるデザインを生成して前記通信部を介して前記スマート衣類に伝送することができる。
【００２６】
また、前記プロセッサは、前記ユーザー端末の周辺情報に基づいたデザインを生成し、生成したデザインを前記スマート衣類に伝送する周辺環境認識モードを提供することができる。
【００２７】
開示された実施例に係るスマート衣類は、第１電極と第２電極を含む第１素材；第３電極と第４電極を含む第２素材；およびユーザー端末から伝送された信号に応じて前記第１電極および第２電極のうちいずれか一つを接地させる第１接地端子と残りの一つに電圧を印加する第１信号端子および前記第３電極および第４電極のうちいずれか一つを接地させる第２接地端子と残りの一つに電圧を印加する第２信号端子を含む連結モジュール；を含む。
【００２８】
また、前記連結モジュールは、前記ユーザー端末と有線で連結されるように設けられるコネクターを含むことができる。また、前記連結モジュールは、前記ユーザー端末と有無線通信を行う通信部を含むことができる。
【００２９】
また、前記連結モジュールは、前記通信部で前記ユーザー端末から伝送された信号を受信すると、前記受信した信号に応じて前記スマート衣類に電圧を印加する少なくとも一つのドライバーを含むことができる。
【００３０】
また、前記連結モジュールは、前記通信部で前記ユーザー端末から伝送された信号を受信すると、前記少なくとも一つのドライバーを制御するための制御信号を生成するプロセッサを含むことができる。
【００３１】
また、前記連結モジュールは、前記スマート衣類の情報を保存し、前記通信部で前記ユーザー端末から伝送された信号を受信すると、受信した信号に含まれた情報を保存するメモリーを含むことができる。
【００３２】
また、前記連結モジュールは，電源を供給するバッテリーを含むことができる。
【００３３】
また、前記第１素材および第２素材は，コレステリック液晶繊維を含むことができる。
【００３４】
また、前記コレステリック液晶繊維は、コレステリック液晶、前記コレステリック液晶の一側に設けられた第１電極、前記第１電極の反対側に設けられた第２電極、前記第１電極と第２電極の間に設けられる絶縁体および前記第１電極、第２電極および絶縁体をカバーするように設けられた保護層を含むことができる。
【００３５】
また、前記コレステリック液晶繊維を連結して前記コレステリック液晶繊維を延長させる連結部；をさらに含むことができる。
【００３６】
また、前記連結部は、前記コレステリック液晶繊維の第１電極同士を連結させる第１連結電極と前記コレステリック液晶繊維の第２電極同士を連結させる第２連結電極と前記第１連結電極および第２連結電極の間に設けられる絶縁体を含むことができる。
【００３７】
また、前記コレステリック液晶は、前記コレステリック液晶繊維の形態を維持するように設けられる隔壁を含むことができる。
【００３８】
また、前記コレステリック液晶繊維は、断面が円形または多角形のうちいずれか一つの形態で設けられ得る。
【００３９】
また、前記コレステリック液晶は、赤色光を反射する赤色サブセル、緑色光を反射する緑色サブセルおよび青色光を反射する青色サブセルのうち少なくとも一つを含む画素を含むことができる。
【００４０】
また、前記画素は、前記赤色サブセル、緑色サブセルおよび青色サブセルが同じ層を形成するように設けられ得る。また、前記画素は、前記赤色サブセル、緑色サブセルおよび青色サブセルが積層構造を形成するように設けられ得る。
【００４１】
また、前記コレステリック液晶は、赤色サブセル、緑色サブセルおよび青色サブセルを区画する格子を含むことができる。
【００４２】
また、前記格子は織物繊維を含むことができる。
【００４３】
また、前記第１素材および第２素材は、電子インク繊維を含むことができる。
【００４４】
また、前記電子インク繊維は、電子インクを含む複数の電子インクカプセル、前記電子インクカプセルの一側に設けられた第１電極、前記第１電極の反対側に設けられた第２電極、前記第１電極と第２電極の間に設けられる絶縁体および前記第１電極、第２電極および絶縁体をカバーするように設けられた保護層を含むことができる。
【００４５】
また、前記電子インクカプセルは、赤色光を反射する赤色電子インクと緑色光を反射する緑色電子インクと青色光を反射する青色電子インクのうち少なくとも一つの電子インク、光を吸収する黒色電子インクおよび光を反射する白色電子インクを含むことができる。
【００４６】
また、前記第１素材および第２素材は、電気変色繊維を含むことができる。
【００４７】
また、前記電気変色繊維は、第１電極、前記第１電極の外部に設けられるカウンター電極（ｃｏｕｎｔｅｒ  ｅｌｅｃｔｒｏｄｅ）、前記カウンター電極の外部に設けられる電解質、前記電解質の外部に設けられる作用電極（ｗｏｒｋｉｎｇ  ｅｌｅｃｔｒｏｄｅ）、前記作用電極の外部に設けられる第２電極および前記第２電極をカバーするように設けられた保護層を含むことができる。
【００４８】
また、前記カウンター電極と前記作用電極のうち少なくとも一つは、変色素材を含むことができる。
【００４９】
また、前記カウンター電極は、酸化しながら変色が行われる第１変色素材を含むことができる。
【００５０】
また、前記作用電極は、還元されながら変色が行われる第２変色素材を含むことができる。
【００５１】
また、前記第１素材および第２素材は、電気発光繊維を含むことができる。
【００５２】
また、前記電気発光繊維は、第１電極、前記第１電極の外部に設けられる発光部、前記発光部の外部に設けられる第２電極および前記第２電極をカバーするように設けられる保護層を含むことができる。
【００５３】
また、前記電気発光繊維は、第１電極、前記第１電極の外部に設けられる発光部、前記発光部の外部に設けられ、互いに接触しないように設けられる少なくとも３個の第２電極、前記少なくとも３個の第２電極の外部にそれぞれ設けられる赤色カラーフィルタ、緑色カラーフィルタ、青色カラーフィルタおよび前記赤色カラーフィルタ、緑色カラーフィルタ、青色カラーフィルタをカバーするように設けられる保護層を含むことができる。
【００５４】
また、前記電気発光繊維は、第１電極、前記第１電極の外部に設けられる赤色発光部と緑色発光部と青色発光部、前記赤色発光部と緑色発光部と青色発光部の外部にそれぞれ設けられる第２電極および前記第２電極をカバーするように設けられる保護層を含むことができる。
【００５５】
また、前記電気発光繊維は、コア繊維、前記コア繊維の外部に設けられ、互いに接触しないように設けられる少なくとも３個の第１電極、前記少なくとも３個の第１電極の外部にそれぞれ設けられる赤色発光部と緑色発光部と青色発光部、前記赤色発光部と緑色発光部と青色発光部の外部にそれぞれ設けられる第２電極および前記第２電極をカバーするように設けられる保護層を含むことができる。
【００５６】
開示された実施例に係るスマート衣類のデザイン変更方法は、ユーザー端末でサーバーから色相、イメージ、テキストおよびその組み合わせを含むスマート衣類のデザインを受信し；前記ユーザー端末で前記受信したデザインを表示し；前記表示されたデザインが選択されると、前記スマート衣類のデザインが前記選択されたデザインに変更され得るように前記ユーザー端末で前記スマート衣類に前記選択されたデザインを伝送すること；を含む。
【００５７】
また、前記ユーザー端末でスマート衣類を検索し；検索されたスマート衣類を前記ユーザー端末で表示し；表示されたスマート衣類が選択されると、前記ユーザー端末で前記スマート衣類とペアリングを遂行すること；をさらに含むことができる。
【００５８】
また、前記デザインを受信することは、前記ユーザー端末と前記スマート衣類がペアリングされると、前記ユーザー端末で前記スマート衣類から伝送された識別情報を受信し；前記ユーザー端末で前記受信した識別情報を前記サーバーに伝送し；前記ユーザー端末で前記サーバーから伝送される前記識別情報に対応するスマート衣類のデザインを受信すること；を含むことができる。
【発明の効果】
【００５９】
開示された実施例に係るスマート衣類は、色相、イメージまたはテキストのようなデザイン要素を変更することができるので、ユーザーは時間と場所にかかわらず、スマート衣類のデザインを所望のデザインに変更することができる。
【図面の簡単な説明】
【００６０】
【図１】開示された実施例に係るシステムを概念的に示した図面。
【図２】開示された実施例に係るスマート衣類の構成を示した図面。
【図３】開示された実施例に係るスマート衣類の構成を示した図面。
【図４】開示された実施例に係るシステムのスマート衣類デザイン変更方法を示したフローチャート。
【図５】開示された実施例に係るスマート衣類のデザイン変更のためのユーザーインタフェースを示した図面。
【図６】開示された他の実施例に係るシステムのスマート衣類デザイン変更方法を示したフローチャート。
【図７】開示された実施例に係るユーザー端末に表示されるスマート衣類検索およびペアリングのためのユーザーインタフェースを示した図面。
【図８】開示された実施例に係るユーザー端末に表示されるスマート衣類検索およびペアリングのためのユーザーインタフェースを示した図面。
【図９】他の実施例に係るスマート衣類のデザイン変更のためのユーザーインタフェースを示した図面。
【図１０】開示されたさらに他の実施例に係るシステムのスマート衣類デザイン変更方法を示したフローチャート。
【図１１】開示されたさらに他の実施例に係るスマート衣類のデザイン変更のためのユーザーインタフェースを示した図面。
【図１２】開示されたさらに他の実施例に係るスマート衣類のデザイン変更のためのユーザーインタフェースを示した図面。
【図１３】開示されたさらに他の実施例に係るスマート衣類のデザイン変更のためのユーザーインタフェースを示した図面。
【図１４】開示されたさらに他の実施例に係るスマート衣類のデザイン変更のためのユーザーインタフェースを示した図面。
【図１５】開示されたさらに他の実施例に係るスマート衣類のデザイン変更のためのユーザーインタフェースを示した図面。
【図１６】開示されたさらに他の実施例に係るスマート衣類のデザイン変更のためのユーザーインタフェースを示した図面。
【図１７】開示された実施例に係るスマート衣類の変色繊維のうちコレステリック液晶繊維を示した図面。
【図１８】開示された実施例に係るスマート衣類の変色繊維のうちコレステリック液晶繊維を示した図面。
【図１９】開示された実施例に係るスマート衣類の変色繊維のうちコレステリック液晶繊維を示した図面。
【図２０】開示された実施例に係るスマート衣類の変色繊維のうちコレステリック液晶繊維を示した図面。
【図２１】開示された実施例に係るスマート衣類の変色繊維および生地の連結構造を示した図面。
【図２２】開示された実施例に係るスマート衣類の変色繊維および生地の連結構造を示した図面。
【図２３】開示された実施例に係るスマート衣類の生地の構造を示した図面。
【図２４】開示された実施例に係るスマート衣類の変色繊維の制御のための変色繊維と連結モジュールの連結関係を図示した図面。
【図２５】開示された実施例に係るスマート衣類の変色繊維のうち電子インク繊維を示した図面。
【図２６】開示された実施例に係るスマート衣類の変色繊維のうち電気変色繊維を示した図面。
【図２７】開示された実施例に係るスマート衣類の変色繊維のうち電気発光繊維を示した図面。
【発明を実施するための形態】
【００６１】
以下、添付された図面を参照して開示された実施例について詳細に説明する。
【００６２】
図１は開示された実施例に係るシステムを概念的に示した図面であり、図２および図３は開示された実施例に係るスマート衣類４００の構成を示した図面である。
【００６３】
図１を参照すると、開示された実施例に係るシステムは、スマート衣類４００、スマート衣類４００に具現可能なデザインをサーバー２００にアップロードする供給者端末１００、前記供給者端末１００からアップロードしたデザインを保存するサーバー２００、前記サーバー２００から前記スマート衣類４００に具現可能なデザインをダウンロードし、前記スマート衣類４００にデザインを伝送するユーザー端末３００を含む。
【００６４】
スマート衣類４００のデザインは、前記スマート衣類４００に表すことができる色相、イメージ、テキストまたはこれらの組み合わせを意味する。スマート衣類４００の販売者や事業者のようなスマート衣類４００の提供者は、供給者端末１００を利用してサーバー２００にスマート衣類４００に具現可能なデザインをアップロードすることができる。デザインのアップロードは、前述した衣類提供者だけでなく、別途のデザイン供給者や購買者も自由にスマート衣類４００のデザインをサーバー２００にアップロードすることができる。
【００６５】
供給者端末１００は、サーバー２００との通信が可能なコンピュータまたはスマートフォンやタブレットＰＣのようなモバイル装置などを含むことができる。前記装置は供給者端末１００の一例に過ぎず、サーバー２００との通信が可能なデバイスであれば前記供給者端末１００の範囲に含まれ得る。
【００６６】
スマート衣類４００の提供者は、サーバー２００にデザインをアップロードする時、アップロードしたデザインが具現され得るスマート衣類４００の識別情報、例えば製品番号、商標、サイズ、材質などを共にアップロードして、購買者が所有したスマート衣類４００に具現できるデザインを容易に検索できるようにすることができる。
【００６７】
サーバー２００は、多様な供給者端末１００からアップロードされるスマート衣類４００のデザインを保存してデータベースを構築する。サーバー２００は、デザインをアップロードした提供者ごとにデザインを分類して保存し、同一提供者がアップロードしたデザインをスマート衣類４００の種類別に分類して保存することができる。ユーザーはユーザー端末３００を通じてサーバー２００に接続し、あらかじめ定められた認証手続きを経てからサーバー２００からデザインをダウンロードすることができる。
【００６８】
ユーザーは、認証手続きを経てからスマート衣類４００の識別情報、例えば製品番号、商標、サイズ、材質などをユーザー端末３００を介して入力すれば、入力した識別情報と関連したスマート衣類４００のデザインをサーバー２００からユーザー端末３００にダウンロードすることができる。
【００６９】
ユーザー端末３００は、サーバー２００との通信が可能なコンピュータまたはスマートフォンやタブレットＰＣのようなモバイル装置などを含むことができる。前記装置はユーザー端末３００の一例に過ぎず、サーバー２００との通信が可能なデバイスであれば前記ユーザー端末３００の範囲に含まれ得る。より具体的には、ユーザー端末は、サーバーまたはスマート衣類と通信を行うことができる通信部と、スマート衣類のデザイン変更のためのユーザーインタフェースを表示するディスプレイ部と、ディスプレイ部に表示されたスマート衣類のデザインが選択されると選択されたデザインを含む信号を生成して通信部を介してスマート衣類に伝送するプロセッサを含むことができる。
【００７０】
ユーザー端末３００を介してサーバー２００にスマート衣類４００のデザインがアップロードされるのであれば、ユーザー端末３００も供給者端末１００となることができ、供給者端末１００であってもサーバー２００からスマート衣類４００のデザインをダウンロードするのであればユーザー端末３００となることができる。
【００７１】
ユーザー端末３００は、サーバー２００からダウンロードしたデザインやあらかじめ保存していたデザインのうちユーザーによって選択されたデザイン情報をスマート衣類４００に伝送する。
【００７２】
スマート衣類４００はユーザー端末３００から伝送されるデザイン情報を受信することができ、受信した情報に基づいてスマート衣類４００のデザインを変更させることができる連結モジュール４２０を含む。
【００７３】
図１に図示されたように、スマート衣類４００の連結モジュール４２０でユーザー端末３００から伝送されるデザイン情報を含む信号を受信すると、スマート衣類４００は受信した信号に応じて色相を変更したり、テキストを表示または変更したり、模様を表示または変更する。すなわち、ユーザーは一つのスマート衣類４００に多様なデザインを具現することができる。
【００７４】
まず、図２および図３を参照してスマート衣類４００の連結モジュール４２０について具体的に説明し、図４〜図１６を参照して、開示された実施例に係るシステムにおいてスマート衣類４００のデザインを変更する方法とスマート衣類４００のデザインを変更するためのユーザー端末３００のユーザーインタフェースを具体的に説明する。
【００７５】
図２を参照すると、スマート衣類４００はユーザー端末３００から伝送される信号を受信する連結モジュール４２０を含む。連結モジュール４２０はスマート衣類４００のいずれにも設けることが可能であるが、ユーザー端末３００と有線で連結する場合を考慮して有線連結が容易な衣類の終端に設けられることが好ましい。
【００７６】
連結モジュール４２０は、図２に図示されたように、ユーザー端末３００と有無線通信を行う通信部４２７、通信部４２７で受信した信号に応じてスマート衣類４００のデザインを変更するための制御信号を生成するプロセッサ４２３、プロセッサ４２３から生成された制御信号に応じてスマート衣類４００に電圧を印加するドライバー４２１、通信部４２７で受信した信号に含まれたデザイン情報を保存するかスマート衣類４００の現在のデザインに関連した情報を保存するメモリー４２５、スマート衣類４００に電源を提供するバッテリー４２９を含むことができる。
【００７７】
連結モジュール４２０の通信部４２７は、ユーザー端末３００と無線ＬＡＮ（Ｗｉｒｅｌｅｓｓ  ＬＡＮ）、Ｗｉ−Ｆｉ（Ｗｉ−Ｆｉ）、ブルートゥース（Ｂｌｕｅｔｏｏｔｈ（登録商標））、ジグビー（Ｚｉｇｂｅｅ）、ＷＦＤ（Ｗｉ−Ｆｉ  Ｄｉｒｅｃｔ）、ＵＷＢ（Ｕｌｔｒａ  ｗｉｄｅｂａｎｄ）、赤外線通信（ＩｒＤＡ；Ｉｎｆｒａｒｅｄ  Ｄａｔａ  Ａｓｓｏｃｉａｔｉｏｎ）、ＢＬＥ  （Ｂｌｕｅｔｏｏｔｈ  Ｌｏｗ  Ｅｎｅｒｇｙ）、ＮＦＣ（Ｎｅａｒ  Ｆｉｅｌｄ  Ｃｏｍｍｕｎｉｃａｔｉｏｎ）などのような通信方式を通じて通信を行うことができる。
【００７８】
ドライバー４２１はスマート衣類４００を構成する後述する変色繊維の電極と連結され、プロセッサ４２３から生成された信号に応じて前記電極に電圧を印加してスマート衣類４００のデザインが変更されるようにする。ドライバー４２１は一つのみ設けられてもよく、複数のドライバー４２１が設けられてもよい。
【００７９】
メモリー４２５は、Ｓラム（Ｓ−ＲＡＭ）、Ｄラム（Ｄ−ＲＡＭ）等の揮発性メモリーだけでなく、フラッシュメモリ、ロム（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ：ＥＰＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ：ＥＥＰＲＯＭ）等の非揮発性メモリーを含むことができる。
【００８０】
図２に図示されたように、連結モジュール４２０は、通信部４２７、プロセッサ４２３、ドライバー４２１、メモリー４２５、バッテリー４２９をすべて含んでもよく、少なくとも一つを含んでもよい。
【００８１】
例えば、連結モジュール４２０は通信部４２７とドライバー４２１を含むこともできる。この場合、ユーザー端末３００のプロセッサから生成された制御信号を通信部４２７で受信し、ドライバー４２１は通信部４２７で受信した制御信号に応じてスマート衣類４００に電圧を印加してスマート衣類４００のデザインを変更することができる。
【００８２】
または、連結モジュール４２０は通信部４２７とプロセッサ４２３そしてドライバー４２１を含むこともできる。この場合、ユーザー端末３００からデザイン情報が含まれた信号が伝送されて通信部４２７で前記信号を受信すると、プロセッサ４２３は、通信部４２７で受信した信号に応じてドライバー４２１を制御するための制御信号を生成してドライバー４２１に出力する。ドライバー４２１は、連結モジュール４２０のプロセッサ４２３から出力された制御信号に応じてスマート衣類４００に電圧を印加してスマート衣類４００のデザインを変更することができる。
【００８３】
または、連結モジュール４２０は通信部４２７とプロセッサ４２３とドライバー４２１そして、メモリー４２５を含むこともできる。この場合、ユーザー端末３００からデザイン情報が含まれた信号が伝送されて通信部４２７で前記信号を受信すると、メモリー４２５は通信部４２７で受信した信号に含まれたデザイン情報を保存する。また、メモリー４２５はスマート衣類４００の現在のデザインに関連した情報を保存することもできる。そして、プロセッサ４２３は通信部４２７で受信した信号に応じてドライバー４２１を制御するための制御信号を生成してドライバー４２１に出力する。ドライバー４２１は、連結モジュール４２０のプロセッサ４２３から出力された制御信号に応じてスマート衣類４００に電圧を印加してスマート衣類４００のデザインを変更することができる。
【００８４】
または、連結モジュール４２０は通信部４２７とプロセッサ４２３とドライバー４２１、メモリー４２５そして、バッテリー４２９を含むこともできる。スマート衣類４００を構成する変色繊維に発光素子が用いられる場合、発光素子に電源を供給するためにバッテリー４２９が必要となることがある。また、後述する双安定性を有するコレステリック液晶や電子インクまたは電気変色素子がスマート衣類４００を構成する繊維に用いられる場合には、バッテリー４２９を省略してもよい。残りの構成の説明は前述した説明と同じであるため省略する。
【００８５】
または図３に図示されたように、開示された実施例に係るスマート衣類４００の連結モジュール４２０は、ユーザー端末３００と有線で連結されるように設けられたコネクター４２８のみを含んでもよい。ユーザー端末３００とスマート衣類４００が連結モジュール４２０のコネクター４２８により連結される場合、ユーザーによって選択されたデザインをスマート衣類４００に具現するための信号をユーザー端末３００のプロセッサで生成し、ユーザー端末３００のドライバー４２１で前記プロセッサ４２３から生成された信号に応じてスマート衣類４００を制御するための電圧をコネクター４２８を介して印加することができる。コネクター４２８を介してユーザー端末３００からスマート衣類４００を制御するための電圧が印加されると、スマート衣類４００はユーザーが選択したデザインに変更され得る。
【００８６】
一方、図４は開示された実施例に係るシステムのスマート衣類４００のデザイン変更方法を示したフローチャートであり、図５は開示された実施例に係るスマート衣類４００のデザイン変更のためのユーザーインタフェースを示した図面である。
【００８７】
ユーザー端末３００にはスマート衣類４００のデザインを変更するためのアプリケーションが搭載され得る。アプリケーションは、ユーザー端末３００とスマート衣類４００のペアリング、スマート衣類４００のデザイン変更などに関連したユーザーインタフェースをユーザー端末３００のディスプレイ部を介して提供することができる。
【００８８】
図４を参照すると、ユーザー端末３００のアプリケーションが実行されると、ユーザー端末３００は周辺のスマート衣類４００を検索する。アプリケーションはユーザーの命令によって実行されてもよく、周辺にスマート衣類４００が存在するのであれば、これを感知して自動で実行されてもよい。アプリケーションの自動実行機能はアプリケーションの設定を通じて変更することができる。
【００８９】
ユーザー端末３００は、スマート衣類４００を検索してスマート衣類４００とペアリングするために周辺のスマート衣類４００に信号を伝送する。周辺のスマート衣類４００でユーザー端末３００から伝送された信号を受信して伝送信号の受信に対応する信号をユーザー端末３００に伝送すると、ユーザー端末３００とスマート衣類４００がペアリングされる。前述したように、スマート衣類４００とユーザー端末３００とのペアリングは、無線ＬＡＮ（Ｗｉｒｅｌｅｓｓ  ＬＡＮ）、Ｗｉ−Ｆｉ（Ｗｉ−Ｆｉ）、ブルートゥース（Ｂｌｕｅｔｏｏｔｈ）、ジグビー（Ｚｉｇｂｅｅ）、ＷＦＤ（Ｗｉ−Ｆｉ  Ｄｉｒｅｃｔ）、ＵＷＢ（Ｕｌｔｒａ  ｗｉｄｅｂａｎｄ）、赤外線通信（ＩｒＤＡ；Ｉｎｆｒａｒｅｄ  Ｄａｔａ  Ａｓｓｏｃｉａｔｉｏｎ）、ＢＬＥ  （Ｂｌｕｅｔｏｏｔｈ  Ｌｏｗ  Ｅｎｅｒｇｙ）、ＮＦＣ（Ｎｅａｒ  Ｆｉｅｌｄ  Ｃｏｍｍｕｎｉｃａｔｉｏｎ）などのような通信方式を通じて行われ得る。
【００９０】
図４および図５は、検索された周辺のスマート衣類４００が一つの場合を例に挙げて説明している。周辺に検索されたスマート衣類４００が複数個ある場合については後述するようにし、スマート衣類４００の検索とペアリングについての具体的な説明も後述するようにする。図４および図５に図示されたように、周辺のスマート衣類４００が一つの場合、ユーザー端末３００とスマート衣類４００がペアリングされると、図５に図示されたようなユーザーインタフェースがユーザー端末３００のディスプレイ部に表示される。
【００９１】
ユーザーインタフェースは、上段にペアリングされたスマート衣類４００のイメージが表示される衣類表示領域３１０と、衣類表示領域３１０の下段に表示され、衣類表示領域３１０に表示されたスマート衣類４００の色相を選択できるように設けられた色相選択領域３２０と、色相選択領域３２０の下段に表示され、衣類表示領域３１０に表示されたスマート衣類４００に具現されるイメージを選択できるように設けられるイメージ選択領域３３０と、イメージ選択領域３３０の下段に設けられ、衣類表示領域３１０に表示されたスマート衣類４００に表示されるテキストを入力できるように設けられるテキスト入力領域３４０を含むことができる。前述した衣類表示領域３１０、色相選択領域３２０、イメージ選択領域３３０、テキスト入力領域３４０の相互間の位置は前述した位置に限定されず、多様に設定され得る。例えば、ユーザーがアプリケーションの設定を通じて位置を所望通りに変更することもできる。ユーザーは、ユーザーインタフェースを通じて所望の色相またはイメージを選択したりテキストを入力することができ、ユーザー端末３００はユーザーインタフェースを通じて選択されたか入力された情報を含む信号をスマート衣類４００に伝送してスマート衣類４００のデザインが変更されるようにする。本実施例に係るスマート衣類４００の連結モジュール４２０は、少なくとも図３に図示されたように、コネクター４２８を含んだり、図２に図示された構成のうち少なくとも通信部４２７とドライバー４２１を含むことができる。
【００９２】
衣類表示領域３１０に表示されるスマート衣類４００のイメージは、ペアリングされたスマート衣類４００と関連してデフォルトに設定された代表イメージであり得る。例えば、ペアリングされたスマート衣類４００が半袖Ｔシャツである場合、ペアリングされた半袖Ｔシャツの形態などが考慮されていないイメージで、半袖Ｔシャツであることを直観的に認識できるように考案された代表的なイメージが衣類表示領域３１０に表示され得る。他の実施例として、スマート衣類４００の現在のデザインなどが考慮されて実際のスマート衣類４００と類似するイメージが衣類表示領域３１０に表示されることもあるが、これについては図６を参照して後述する。
【００９３】
色相選択領域３２０は図５に図示されたように、多様な色相がマトリックス形態で表示され得る。ユーザーは色相選択領域３２０に表示された色相のうち所望の色相をタッチするか、キーボードやマウスなどの別途の入力部を介して選択してスマート衣類４００の色相を変更することができる。色相が選択されると、衣類表示領域３１０に表示されたスマート衣類４００のイメージに変更された色相が反映され得る。色相選択領域３２０に色相が表示される形態は前述した例に限定されず、多様に設定され得る。ユーザーはアプリケーションの設定を通じて色相が表示される形態を変更することができ、頻繁に使用する色相が優先的に表示されるように設定することもできるであろう。
【００９４】
イメージ選択領域３３０は図５に図示されたように、ペアリングされたスマート衣類４００と関連してユーザー端末３００にあらかじめ保存されたパターンや模様を含むイメージを表示することができる。イメージ選択領域３３０または色相選択領域３２０のように、多様なイメージがマトリックスの形態で表示され得る。ユーザーは、イメージ選択領域３３０に表示されたイメージのうち所望のイメージをタッチするか、キーボードやマウスなどの別途の入力部を介して選択してスマート衣類４００に具現されるイメージを変更することができる。イメージが選択されると、衣類表示領域３１０に表示されたスマート衣類４００に選択されたイメージが反映され得る。
【００９５】
イメージ選択領域３３０には、前述したように、ペアリングされたスマート衣類４００と関連してユーザー端末３００にあらかじめ保存されたイメージだけでなく、ユーザー端末３００に保存された写真などのイメージも表示され得る。また、ユーザー端末３００のカメラで撮り立ての映像をスマート衣類４００に表示できるように、カメラを駆動させるオブジェクトも共に表示され得る。すなわち、ユーザーが前記オブジェクトをタッチするか入力部を介してクリックすると、ユーザー端末３００に設置されたカメラが駆動されてユーザーは所望のイメージをカメラ撮影を通じて獲得することができる。カメラ撮影がなされると、撮影されたイメージが衣類表示領域３１０に表示されたスマート衣類４００に表示され得る。ユーザーはイメージ選択領域３３０に表示されるイメージをアプリケーションの設定を通じて選択することができる。すなわち、ペアリングされたスマート衣類４００と関連してユーザー端末３００にあらかじめ保存されたイメージのみが表示されるように設定することもでき、ユーザー端末３００に保存された写真などのイメージのみが表示されるように設定することもできる。また、ユーザー端末３００のカメラで撮り立ての映像をスマート衣類４００に表示できるように、カメラを駆動させるオ、示されるように設定することもできる。
【００９６】
テキスト入力領域３４０には、＜ｔｅｘｔ  ｉｎｐｕｔ＞のように、該当領域がテキスト入力のために設けられた領域であることがユーザーに分かるようにする表現が表示され得る。または別途に案内することなく空欄で表示してもよい。ユーザーがテキスト入力領域３４０をタッチするか別途の入力部を介してクリックすると、ユーザー端末３００はテキスト入力のためのキーボードを表示してユーザーの所望のテキストを入力できるようにする。これについての具体的な説明は後述する。テキストはキーボードを介して入力することもでき、音声を通じて入力することもできる。ユーザーはアプリケーションの設定を通じて、キーボードを介してテキストを入力したり音声を通じてテキストを入力することもできる。テキスト入力領域３４０には、テキストのキーボード入力を案内するアイコンとテキストの音声入力を案内するアイコンが表示されて、ユーザーの所望のテキスト入力方法を案内するアイコンをタッチまたはクリックして所望のテキスト入力方法を選択するようにすることもできる。
【００９７】
テキスト入力領域３４０にテキストが入力されると、衣類表示領域３１０に表示されたスマート衣類４００に入力されたテキストが表示され得る。
【００９８】
図６は開示された他の実施例に係るシステムのスマート衣類４００のデザイン変更方法を示したフローチャートであり、図７および図８は開示された実施例に係るユーザー端末３００に表示されるスマート衣類４００の検索およびペアリングのためのユーザーインタフェースを示した図面であり、図９は他の実施例に係るスマート衣類４００のデザイン変更のためのユーザーインタフェースを示した図面である。
【００９９】
図６を参照すると、ユーザー端末３００のアプリケーションが実行されると、ユーザー端末３００は周辺のスマート衣類４００を検索する。アプリケーションは、ユーザーの命令によって実行されてもよく、周辺にスマート衣類４００が存在すればこれを感知して自動で実行されてもよい。アプリケーションの自動実行機能はアプリケーションの設定を通じて変更することができる。
【０１００】
ユーザー端末３００は、スマート衣類４００を検索してスマート衣類４００とペアリングするために周辺のスマート衣類４００に信号を伝送する。周辺のスマート衣類４００でユーザー端末３００から伝送された信号を受信して伝送信号の受信に対応する信号をユーザー端末３００に伝送すると、ユーザー端末３００とスマート衣類４００がペアリングされる。
【０１０１】
図７および図８に図示されたように、ユーザー端末３００はスマート衣類４００を検索して検索されたスマート衣類４００とペアリングするためのユーザーインタフェースを提供することができる。図７に図示されたように、ユーザーインタフェースは、衣類表示領域３１１と衣類表示領域３１１の下段に周辺のスマート衣類４００を検索するための検索ボタン３１２と、検索されたスマート衣類４００とペアリングするためのペアリングボタン３１４をユーザー端末３００のディスプレイ部に表示することができる。前述した衣類表示領域３１１、検索ボタン３１２およびペアリングボタン３１４の相互間の位置は前述した位置に限定されず、多様に設定され得る。例えば、ユーザーがアプリケーションの設定を通じて位置を所望通りに変更することもできる。
【０１０２】
ユーザーが周辺のスマート衣類４００を検索するために、検索ボタン３１２をタッチするかクリックすると、図７に図示されたように、衣類表示領域３１１には周辺のスマート衣類４００を検索していることをユーザーが直観的に認識できるように、虫眼鏡の形状のイメージが表示され得る。
【０１０３】
周辺のスマート衣類４００が検索されると、図８に図示されたように、検索されたスマート衣類４００のイメージが衣類表示領域３１１にマトリックス形態で表示され得る。ユーザーは衣類表示領域３１１に表示されたスマート衣類４００のうち、ペアリングしようとするスマート衣類４００をタッチするかクリックして選択し、ペアリングボタン３１４をタッチするかクリックすることによって選択したスマート衣類４００とユーザー端末３００とのペアリングを遂行することができる。
【０１０４】
図６に図示されたように、スマート衣類４００とユーザー端末３００がペアリングされると、ペアリングされたスマート衣類４００は、現在のスマート衣類４００の色相、現在スマート衣類４００に具現されているイメージまたはテキストを抽出してユーザー端末３００に伝送する。本実施例に係るスマート衣類４００の連結モジュール４２０は、少なくとも通信部４２７、プロセッサ４２３、ドライバー４２１およびメモリー４２５を含むことができ、メモリー４２５には現在のスマート衣類４００のデザイン情報が保存され得る。
【０１０５】
ユーザー端末３００はスマート衣類４００から伝送された情報に基づいて、ペアリングされたスマート衣類４００の現在のデザインなどを反映した、実際のスマート衣類４００と類似するイメージを衣類表示領域３１０に表示することができる。例えば、図９に図示されたように、ユーザー端末３００は、ペアリングされたスマート衣類４００の色相と、スマート衣類４００に具現された模様やパターンなどを含むイメージまたはテキストが具現されている場合、テキストを反映したイメージを衣類表示領域３１０に表示することができる。図９に図示された他のユーザーインタフェースについての説明は、図５に図示されたものとおなじであるため説明を省略する。
【０１０６】
ユーザーはユーザーインタフェースを通じて所望の色相またはイメージを選択したりテキストを入力することができ、ユーザー端末３００はユーザーインタフェースを通じて選択されたか入力された情報を含む信号をスマート衣類４００に伝送してスマート衣類４００のデザインが変更されるようにする。
【０１０７】
図１０は、開示されたさらに他の実施例に係るシステムのスマート衣類４００のデザイン変更方法を示したフローチャートであり、図１１〜図１６は開示されたさらに他の実施例に係るスマート衣類４００のデザイン変更のためのユーザーインタフェースを示した図面である。
【０１０８】
図１０を参照すると、ユーザー端末３００のアプリケーションが実行されると、ユーザー端末３００は周辺のスマート衣類４００を検索する。アプリケーションはユーザーの命令によって実行されてもよく、周辺にスマート衣類４００が存在すればこれを感知して自動で実行されてもよい。アプリケーションの自動実行機能はアプリケーションの設定を通じて変更することができる。
【０１０９】
ユーザー端末３００は、スマート衣類４００を検索してスマート衣類４００とペアリングするために、周辺のスマート衣類４００に信号を伝送する。周辺のスマート衣類４００でユーザー端末３００から伝送された信号を受信して伝送信号の受信に対応する信号をユーザー端末３００に伝送すると、ユーザー端末３００とスマート衣類４００がペアリングされる。
【０１１０】
ユーザー端末３００とスマート衣類４００のペアリングについての説明は図６〜図８の説明と同じであるため省略する。
【０１１１】
スマート衣類４００の連結モジュール４２０は、ユーザー端末３００とペアリングされると、スマート衣類４００の識別情報をユーザー端末３００に伝送し、ユーザー端末３００はスマート衣類４００から伝送されたスマート衣類４００の識別情報をサーバー２００に伝送する。本実施例に係るスマート衣類４００の連結モジュール４２０は、少なくとも通信部４２７、プロセッサ４２３、ドライバー４２１およびメモリー４２５を含むことができ、メモリー４２５には現在のスマート衣類４００のデザイン情報や識別情報が保存され得る。
【０１１２】
サーバー２００は、ユーザー端末３００から伝送されたスマート衣類４００の識別情報に基づいて該当識別情報が示すスマート衣類４００のデザインを検索し、検索されたデザイン情報をユーザー端末３００に伝送する。ユーザー端末３００はサーバー２００から、ペアリングされたスマート衣類４００のデザインをダウンロードし、ダウンロードされたデザインを図１１に図示されたユーザーインタフェースの色相選択領域３２０、イメージ選択領域３３０に表示する。スマート衣類４００に具現可能なテキストもイメージとしてイメージ選択領域３３０に表示され得る。
【０１１３】
ユーザーはユーザーインタフェースを通じて所望の色相またはイメージを選択したりテキストを入力することができ、ユーザー端末３００はユーザーインタフェースを通じて選択されたか入力された情報を含む信号をスマート衣類４００に伝送してスマート衣類４００のデザインが変更されるようにする。
【０１１４】
ユーザー端末３００が提供するユーザーインタフェースを通じて、ペアリングされたスマート衣類４００のデザインを変更する方法について図１１〜図１５を参照して具体的に説明する。
【０１１５】
図１１および図１２に図示されたように、ユーザー端末３００のユーザーインタフェースは、図５に図示されたユーザーインタフェースと類似している。図１１および図１２に図示されたユーザーインタフェースは図５に図示されたユーザーインタフェースとは異なり、衣類表示領域３１０に表示されたスマート衣類４００を検索された他のスマート衣類４００に変更できるインタフェース３１４と、衣類表示領域３１０に表示されたスマート衣類４００がユーザー端末３００とペアリングされたスマート衣類４００の場合、ペアリングされた衣類であることをユーザーが認識できるように設けられたインタフェース３１５をさらに表示する点が異なる。
【０１１６】
ユーザーは図１２に図示されたように、衣類表示領域３１０に表示されているスマート衣類４００を検索された他のスマート衣類４００に変更しようとする場合、スマート衣類４００の変更のためのインターフェースをタッチまたはクリックすることができる。またはユーザーは衣類表示領域３１０にタッチジェスチャーのうちドラッグジェスチャーやフリッキング（ｆｌｉｃｋｉｎｇ）ジェスチャーを入力して、衣類表示領域３１０に表示されたスマート衣類４００を他のスマート衣類４００に変更することができる。
【０１１７】
衣類表示領域３１０に表示されるスマート衣類４００が変更されると、色相選択領域３２０、イメージ選択領域３３０およびテキスト入力領域３４０も変更されたスマート衣類４００に適合するように変わる。例えば、変更されたスマート衣類４００がテキスト入力を支援しない場合、図１２に図示されたように、テキスト入力ができないという意味が伝達できる表現、例えば＜ｎｏｎｅ＞をテキスト入力領域３４０に表示することができる。
【０１１８】
また、図１２に図示されたように、変更されたスマート衣類４００がユーザー端末３００とペアリングされていないスマート衣類４００の場合には、ユーザー端末３００はペアリングを表すインターフェースを表示しない。そして、衣類表示領域３１０に表示されたスマート衣類４００が再びペアリングされたスマート衣類４００に変更されると、ユーザー端末３００は表示されたスマート衣類４００がユーザー端末３００とペアリングされていることを表すインターフェースを表示する。
【０１１９】
一方、ユーザーはペアリングされたスマート衣類４００にイメージを具現したり、既存のイメージを変更しようとする場合、イメージ選択領域３３０に表示されるイメージやパターンまたは模様をタッチまたはクリックして選択することによって、スマート衣類４００のイメージを変更することができる。図１３に図示されたように、イメージ選択領域３３０にはサーバー２００から伝送されたイメージだけでなく、ユーザー端末３００に保存された写真を選択できるオブジェクトが表示されてもよい。
【０１２０】
図１３に図示されたように、ユーザー端末３００に保存されたイメージに連結させるオブジェクトがタッチまたはクリックされると、衣類表示領域３１０の下段にユーザー端末３００に保存されているイメージがマトリックス形態で表示され得る。そして、衣類表示領域３１０に表示されたスマート衣類４００には、イメージが表示され得る領域３１６が四角形の形態で表示されて、ユーザーが選択したイメージがスマート衣類４００のどこに表示されるかをユーザーが認識できるようにする。ユーザーは衣類表示領域３１０のスマート衣類４００に表示される領域の形態や大きさまたは位置を変更することができる。
【０１２１】
図１３に図示されたように、花を表すイメージがタッチまたはクリックを通じて選択されると、選択されたイメージが衣類表示領域３１０に表示されたスマート衣類４００に表示される。そして、ユーザー端末３００は選択されたイメージをスマート衣類４００に具現するための情報を含む信号をスマート衣類４００に伝送して選択されたイメージがスマート衣類４００に表示されるようにする。図１３に図示されたように、イメージが選択されると、ユーザー端末３００からスマート衣類４００に前記イメージを具現するための信号をすぐに伝達することもでき、選択されたイメージの適用に対するコンファームを求めるメッセージを表示し、コンファーム命令が入力されると、スマート衣類４００に前記イメージを具現するための信号を伝達することもできる。
【０１２２】
また、図１４に図示されたように、ユーザー端末３００のカメラで撮り立ての映像をスマート衣類４００に表示できるように、カメラを駆動させるオブジェクトもイメージ選択領域３３０に表示され得る。
【０１２３】
図１４に図示されたように、ユーザー端末３００のカメラを駆動させるためのオブジェクトがタッチまたはクリックされると、ユーザー端末３００に設置されたカメラが駆動されてユーザーは所望のイメージをカメラ撮影を通じて獲得することができる。カメラ撮影がなされると、撮影されたイメージが衣類表示領域３１０に表示されたスマート衣類４００に表示され得る。ユーザーはスマート衣類４００に表示されたイメージ表示領域の形態や大きさまたは位置を変更して、撮影されたイメージが表示される位置や撮影されたイメージの大きさなどを調節することができる。前記調節が完了すると、ユーザー端末３００は撮影されたイメージをスマート衣類４００に具現するための情報が含まれた信号をスマート衣類４００に伝送して撮影されたイメージがスマート衣類４００に表示されるようにする。図１４に図示されたように、イメージが撮影されてイメージの大きさや位置の調節が完了すると、ユーザー端末３００からスマート衣類４００に前記撮影されたイメージを具現するための信号をすぐに伝達することもでき、撮影されたイメージの適用についてのコンファームを求めるメッセージを表示した後、コンファーム命令が入力されると、スマート衣類４００に前記イメージを具現するための信号を伝達することもできる。
【０１２４】
一方、ユーザーはペアリングされたスマート衣類４００にテキストを表示したり、既存のテキストを変更しようとする場合、テキスト入力領域３４０を通じてテキストを入力することができる。
【０１２５】
図１５に図示されたように、テキスト入力領域３４０には、＜ｔｅｘｔ  ｉｎｐｕｔ＞のように該当領域がテキスト入力のために設けられた領域であることがユーザーに分かるようにする表現が表示され得る。または別途に案内することなく空欄で表示してもよい。
【０１２６】
ユーザーがテキスト入力領域３４０をタッチするか別途の入力部を介してクリックすると、ユーザー端末３００は図１５に図示されたように、テキストの色相を選択できるように設けられた領域と、テキスト入力のためのキーボードとを表示してユーザーの所望の色相のテキストを入力できるようにする。また、衣類表示領域３１０に表示されたスマート衣類４００にはテキストが表示され得る領域３４１が四角形の形態で表示され、ユーザーが入力したテキストがスマート衣類４００のどこに表示されるかをユーザーが認識できるようにする。ユーザーは衣類表示領域３１０のスマート衣類４００に表示されるテキスト表示領域の形態や大きさまたは位置を変更することができる。
【０１２７】
また、図示してはいないが、テキストのフォントを選択できるユーザーインタフェースがさらに表示され、ユーザーが所望するフォントを選択するようにすることもできる。
【０１２８】
テキストが入力され、入力されたテキストの色相とフォントなどが選択されると、入力されたテキストが衣類表示領域３１０に表示されたスマート衣類４００に表示される。そして、ユーザー端末３００は、入力されたテキストをスマート衣類４００に具現するための情報を含む信号をスマート衣類４００に伝送して入力されたテキストがスマート衣類４００に表示されるようにする。図１５に図示されたように、テキストが入力されると、ユーザー端末３００からスマート衣類４００に前記テキストを表示するための信号をすぐに伝達することもでき、入力されたテキストの適用に対するコンファームを求めるメッセージを表示し、コンファーム命令が入力されると、スマート衣類４００に前記テキストを表示するための信号を伝達することもできる。
【０１２９】
また、テキストはキーボードを介して入力されてもよく、音声を通じて入力されてもよい。ユーザーはアプリケーションの設定を通じて、キーボードを介してテキストを入力したり音声を通じてテキストを入力することもできる。テキスト入力領域３４０には、テキストのキーボード入力を案内するアイコンとテキストの音声入力を案内するアイコンが表示されて、ユーザーの所望のテキスト入力方法を案内するアイコンをタッチまたはクリックして所望のテキスト入力方法を選択するようにすることもできる。キーボードを介した入力を案内するアイコンが選択されると、図１５に図示されたユーザーインタフェースが表示され得る。
【０１３０】
テキスト入力領域３４０にテキストが入力されると、衣類表示領域３１０に表示されたスマート衣類４００に入力されたテキストが表示され得る。
【０１３１】
前述したように、ユーザー端末３００が提供するユーザーインタフェースを通じてスマート衣類４００のデザインを変更することもでき、ユーザー端末３００が周辺環境の情報を感知して自動でスマート衣類４００のデザインを変更することもできる。図１６を参照してこれについて説明する。
【０１３２】
図１６に図示されたように、ユーザー端末３００はユーザー端末３００に装着されたセンサーを利用するかインターネット情報などを活用して、ユーザー端末３００の位置を認識したり周辺の温度や天気を感知することができる。位置や温度、天気はユーザー端末３００が感知できる周辺の環境情報の一例に過ぎず、これに限定されるものではない。
【０１３３】
例えば、ユーザー端末３００が認識した現在位置が野球場であれば、ユーザー端末３００は該当野球場で競技を遂行するチームのシンボルがスマート衣類４００に具現され得るように、スマート衣類４００に信号を伝送することができる。スマート衣類４００はユーザー端末３００から伝送された信号に応じて、該当チームのシンボルを表示することができる。
【０１３４】
また、ユーザー端末３００が感知した現在温度が３０℃以上であれば、ユーザー端末３００は現在のスマート衣類４００の色相を白色に変更するための信号をスマート衣類４００に伝送することができる。スマート衣類４００はユーザー端末３００から伝送された信号に応じて現在のスマート衣類４００の色相を白色に変更することができる。現在のスマート衣類４００の色相がすでに白色である場合にはスマート衣類４００は色相を変更しなくてもよい。
【０１３５】
また、ユーザー端末３００が感知した現在の天気が雨が降る天気である場合、ユーザー端末３００は現在のスマート衣類４００に表示された模様やパターンまたはイメージを、雨滴状のイメージや模様またはパターンに変更するための信号をスマート衣類４００に伝送することができる。スマート衣類４００はユーザー端末３００から伝送された信号に応じて現在のスマート衣類４００の模様やパターンまたはイメージを雨滴の模様やパターンまたはイメージに変更することができる。
【０１３６】
アプリケーションは前述した機能を提供する周辺環境認識モードを提供することができ、ユーザーは周辺環境認識モードを発動させて自動でユーザー端末３００がスマート衣類４００のデザインを変更するようにすることができる。または周辺環境認識モードを通常はターンオフさせておき、所望の状況で選択的に発動させることもできる。
【０１３７】
一方、開示された実施例に係るスマート衣類４００は、ユーザー端末３００から伝送される信号に応じてイメージ、テキストまたは色相を変更するための素材である変色繊維と一般繊維を含む生地と、前述した連結モジュール４２０を含む。以下、スマート衣類４００を構成する変色繊維について具体的に説明する。
【０１３８】
図１７〜図２０は開示された実施例に係るスマート衣類４００の変色繊維のうちコレステリック液晶繊維を示した図面である。
【０１３９】
図１７に図示されたように、コレステリック液晶繊維４１９はその断面が円形や多角形であり得る。図１７の（ａ）に図示されたように、コレステリック液晶繊維は、繊維の中央に設けられたコレステリック液晶４１５と、コレステリック液晶の外面のうち一部の面に形成された第１電極４１２ａと、第１電極の反対面に形成された第２電極４１２ｂと、第１電極および第２電極の間に設けられる絶縁体４１３と、第１電極、第２電極および絶縁体をカバーする保護層４１１が形成される。
【０１４０】
コレステリック液晶は、電圧が印加されていない状態でも、光を反射させるプラナー（ｐｌａｎａｒ）状態と光を散乱させるフォーカルコニック（ｆｏｃａｌ  ｃｏｎｉｃ）状態の２つの安定した状態で存在することができる双安定性（Ｂｉｓｔａｂｉｌｉｔｙ）を有しており、高電圧が印加されると、光を透過させることができるホメオトロピック（ｈｏｍｅｏｔｒｏｐｉｃ）状態に転換され得る。したがって、ユーザー端末３００によりスマート衣類４００のデザインが変更されると、電圧が印加されなくても変更されたデザインをそのまま維持することができる。
【０１４１】
第１電極と第２電極は、透明な導電物質で構成される透明電極であって、透明導電物質の例としては、ＩＴＯ（Ｉｎｄｉｕｍ  Ｔｉｎ  Ｏｘｉｄｅ、ＩＴＯ）、ＩＺＯ（Ｉｎｄｉｕｍ  Ｚｉｎｃ  Ｏｘｉｄｅ、ＩＺＯ）、アルミニウムドーピングされたＺＡＯ（Ａｌｕｍｉｎｉｕｍ  ｄｏｐｅｄ  Ｚｉｎｃ  Ｏｘｉｄｅ、ＺＡＯ）、銀ナノワイヤー（ＡｇＮＷ）等が挙げられる。
【０１４２】
第１電極、第２電極および絶縁体をカバーする保護層は、一般の織物繊維やメッシュ形態の繊維をコーティングすることによって形成され得る。保護層を一般の織物繊維を用いることによって、コレステリック液晶繊維に一般の織物繊維の質感を付与することができる。第１電極と第２電極は連結モジュール４２０のドライバー４２１と連結され、ドライバー４２１はプロセッサ４２３の制御信号に応じて第１電極および第２電極に電圧を印加してスマート衣類４００のデザインを変更することができる。
【０１４３】
図１７の（ｂ）に図示されたように、コレステリック液晶繊維は、コレステリック液晶に繊維の形状維持のために設けられた隔壁４１６を含むことができる。隔壁は高分子構造物で形成され得る。また、図１７の（ｃ）に図示されたように、コレステリック液晶繊維は、その断面が四角形などの多角形の形状を有するように設けられ得る。
【０１４４】
前述したコレステリック液晶繊維は、図１８に図示されたように、一般の織物繊維４９０と結合してスマート衣類４００を構成する変色繊維を形成することもできる。図１８に図示されたように、コレステリック液晶繊維と一般の織物繊維はツイスト構造を有するように形成され得る。開示された実施例に係るスマート衣類４００の生地は、コレステリック液晶繊維と織物繊維とがツイストされた形態を有する変色繊維の製織を通じて形成され得る。
【０１４５】
図１８に図示された構造の変色繊維で製織された生地の場合、コレステリック液晶繊維に前述した第１電極および第２電極を形成せず、製織された生地の一面とその反対面に第１電極および第２電極を形成することができる。
【０１４６】
他の実施例として、図１９に図示されたように、コレステリック液晶繊維４３０と一般の織物繊維４２２を網状に製織してスマート衣類４００の生地を形成することもできる。本実施例によると、図１８に図示された実施例とは異なり、コレステリック液晶繊維と織物繊維のツイスト構造を有する変色繊維を利用して生地を製織せず、コレステリック液晶繊維と織物繊維を網状に製織して生地を形成する。
【０１４７】
図２０には、開示された実施例に係るコレステリック液晶繊維の画素Ｐの構造が開示されている。図２０の（ａ）を参照すると、コレステリック液晶繊維は一つの色相例えば、赤色光を反射する赤色画素が単層で配列された構造を有し得る。この場合、一つのコレステリック液晶繊維は一つの色相を反射するので、図１９に図示された形態において隣接した列または隣接した行に配列されたコレステリック液晶繊維は、互いに異なる色相を反射するように設けられ得る。
【０１４８】
または図２０の（ｂ）に図示されたように、コレステリック液晶繊維を構成する一つの画素Ｐが赤色光に該当する波長帯域を反射する赤色サブセル（ｓｕｂ−ｃｅｌｌ）４３１と、緑色光に該当する波長帯域を反射する緑色サブセル４３２と、青色光に該当する波長帯域を反射する青色サブセル４３３が積層された構造を有してもよい。
【０１４９】
図２０の（ｂ）に図示されたように一つの画素が積層構造を有してもよく、図２０の（ｃ）および図２０の（ｄ）に図示されたように一つの画素が赤色光に該当する波長帯域を反射する赤色サブセル（ｓｕｂ−ｃｅｌｌ）と、緑色光に該当する波長帯域を反射する緑色サブセルと、青色光に該当する波長帯域を反射する青色サブセルが単層で配列された構造を有してもよい。
【０１５０】
図２０の（ｃ）および図２０の（ｄ）に図示されたように、一つの画素を構成する各サブセルを区画する格子４３４は、コレステリック液晶繊維が織物繊維の質感を有し得るように一般の織物繊維素材で具現され得る。格子は、その高さが図２０の（ｃ）に図示されたようにコレステリック液晶よりも高く形成されてもよく、図２０の（ｄ）に図示されたようにコレステリック液晶と同じ高さで形成されてもよい。
【０１５１】
図２０の（ｅ）に図示されたように、一つの画素が積層構造を有する場合にも、各サブセルを区画する格子は、コレステリック液晶繊維が織物繊維の質感を有し得るように一般の織物繊維素材で具現され得る。
【０１５２】
一方、スマート衣類４００を製作する時、例えばＴシャツを製作する時、袖部分と胴の部分の生地を連結しなければならない必要がある。このような連結は、コレステリック液晶繊維の水準で行われてもよく、コレステリック液晶繊維で形成された生地の水準で行われてもよい。図２１および図２２は、開示された実施例に係るスマート衣類４００の変色繊維および生地の連結構造を図示している。
【０１５３】
図２１を参照すると、前述したようにコレステリック液晶繊維の場合、電圧が印加される第１電極および第２電極を含むので、コレステリック液晶繊維４１９を連結する時、同じ極性の電極が電気的に連結されるようにしなければならない。すなわち、連結しようとするコレステリック液晶繊維の第１電極同士を電気的に連結し、第２電極同士を電気的に連結しなければならない。図２１に図示されたように、コレステリック液晶繊維の連結部４４０は、コレステリック液晶繊維の第１電極４１２ａ同士を電気的に連結する第１連結電極４４０ａとコレステリック液晶繊維の第２電極４１２ｂ同士を電気的に連結する第２連結電極４４０ｂと、第１連結電極および第２連結電極の間に設けられる絶縁体４４０ｃを含むことができる。追加して連結部を保護することができる外部保護層をさらに含むこともできる。コレステリック液晶繊維の断面が円形の場合には連結部の断面も円形に設けられ、コレステリック液晶繊維の断面が多角形の場合には連結部の断面もそれに対応する多角形に形成され得る。
【０１５４】
図１８に図示されたツイスト構造の変色繊維で製織した生地の場合、前述したように、製織された生地に第１電極および第２電極を形成するので、この場合には図２２に図示されたように、連結対象となる生地４５０の第１電極同士を電気的に連結し、第２電極同士を電気的に連結しなければならない。図２２の（ａ）に図示されたように、生地の連結部４５５は連結対象生地の上面に形成された第１電極４５０ａ同士を連結する第１連結電極４５５ａと、連結対象生地の下面に形成された第２電極４５０ｂ同士を連結する第２連結電極４５５ｂを含むことができる。図２２の（ａ）は連結対象生地と生地を連結している連結部の断面を図示しており、図２２の（ｂ）は上面を図示している。図２２の（ｂ）において実線で図示した外部電極が第１連結電極であり、点線で図示した外部電極が第２連結電極を表す。
【０１５５】
前述したように、図１８に図示されたツイスト構造の変色繊維を利用してスマート衣類４００の生地を形成することもでき、図１９に図示されたようにコレステリック液晶繊維と一般の織物繊維を網構造に製織してスマート衣類４００の生地を形成することもできる。さらに他の方法として、図２３の（ａ）および（ｂ）に図示されたように、フィルム形態の柔軟コレステリック液晶を利用することもできる。図２３は開示された実施例に係るスマート衣類４００の生地の構造を示した図面である。
【０１５６】
図２３の（ａ）に図示されたように、柔軟コレステリック液晶にマトリックス形態でホールを形成して柔軟コレステリック液晶４６０を網状に形成し、網目すなわち、ホールに一般の織物繊維４５５を結合してスマート衣類４００の生地を形成することができる。または図２３の（ｂ）に図示されたように、一般の織物繊維４５５にマトリックス形態でホールを形成して織物繊維を網状に形成し、網目ずなわち、ホールに柔軟コレステリック液晶４６０を結合してスマート衣類４００の生地を形成することもできる。
【０１５７】
図２３の（ａ）および（ｂ）に図示されたコレステリック液晶は、前述したように、積層構造の画素を含むか、単層構造の画素を含むことができる。図２３（ａ）のコレステリック液晶は各ラインごとに個別的に制御が可能であり、図２３（ｂ）のコレステリック液晶も網目を形成するコレステリック液晶ごとに個別的に制御が可能である。
【０１５８】
図２４は、開示された実施例に係るスマート衣類４００の変色繊維の制御のための変色繊維と連結モジュール４２０の連結関係を図示した図面である。図２４に図示されたように、生地を構成する第１素材と第２素材であるコレステリック液晶繊維４３０ａの第１電極４３０ａ−１と第２電極４３０ａ−２のうちいずれか一つは信号電極、他の一つは接地電極の役割を遂行することができ、同様に第３電極４３０ｂ−１と第４電極４３０ｂ−２のうちいずれか一つは信号電極、他の一つは接地電極の役割を遂行することができる。第１素材と第２素材はいずれも変色繊維であるコレステリック液晶繊維であり、第１電極と第２電極および第３電極と第４電極は同じ機能を遂行する電極であるので、第１電極と第２電極を例に挙げて説明する。例えば、第１電極が信号電極であって第２電極が接地電極であるとき、コレステリック液晶繊維の第１電極は連結モジュール４２０のドライバー４２１の信号端子と電気的に連結され、第２電極は連結モジュール４２０のドライバー４２１の接地端子と電気的に連結される。一つの連結モジュール４２０にすべてのコレステリック液晶繊維が連結されてもよく、複数の連結モジュール４２０を使ってコレステリック液晶繊維を制御することもできる。
【０１５９】
以上、コレステリック液晶繊維を、スマート衣類４００のデザインを変更するための変色繊維の一例に挙げて説明した。以下、変色繊維の他の実施例について説明する。
【０１６０】
図２５は、開示された実施例に係るスマート衣類４００の変色繊維のうち電子インク繊維を示した図面である。図２５に図示されたように、電子インク繊維は、電子インクを含む複数の電子インクカプセル４７０と、電子インクカプセルの一面に形成される第１電極４７０ａと、第１電極の反対面に形成される第２電極４７０ｂと、第１電極および第２電極の間に設けられる絶縁体（図示されず）を含むことができる。また、図示してはいないが、第１電極、第２電極および絶縁体をカバーする保護層をさらに含むことができる。
【０１６１】
電子インクカプセルには、赤色光を反射する赤色電子インクと緑色光を反射する緑色電子インクと青色光を反射する青色電子インクのうち少なくとも一つの電子インク、光を吸収する黒色電子インクおよび光を反射する白色電子インクが収容され得る。例えば、赤色電子インク、黒色電子インクおよび白色電子インクが一つのカプセルに収容されてもよく、緑色電子インク、黒色電子インクおよび白色電子インクが一つのカプセルに収容されてもよく、青色電子インク、黒色電子インクおよび白色電子インクが一つのカプセルに収容されてもよい。
【０１６２】
第１電極と第２電極は透明な導電物質で構成される透明電極であって、透明導電物質の例としては、ＩＴＯ（Ｉｎｄｉｕｍ  Ｔｉｎ  Ｏｘｉｄｅ、ＩＴＯ）、ＩＺＯ（Ｉｎｄｉｕｍ  Ｚｉｎｃ  Ｏｘｉｄｅ、ＩＺＯ）、アルミニウムドーピングされたＺＡＯ（Ａｌｕｍｉｎｉｕｍ  ｄｏｐｅｄ  Ｚｉｎｃ  Ｏｘｉｄｅ、ＺＡＯ）、銀ナノワイヤー（ＡｇＮＷ）等が挙げられる。第１電極と第２電極は面の形態で形成されてもよく、線の形態で形成されてもよい。
【０１６３】
第１電極、第２電極および絶縁体をカバーする保護層は、一般の織物繊維やメッシュ形態の繊維をコーティングすることによって形成され得る。保護層を一般の織物繊維を用いることによって、電子インク繊維に一般の織物繊維の質感を付与することができる。第１電極と第２電極は連結モジュール４２０のドライバー４２１と連結され、ドライバー４２１はプロセッサ４２３の制御信号に応じて第１電極および第２電極に電圧を印加してスマート衣類４００のデザインを変更することができる。
【０１６４】
本実施例に係るスマート衣類４００の生地は、コレステリック液晶繊維を利用した実施例のように、電子インク繊維と一般の織物繊維のツイスト構造を有する変色繊維を製織して形成されてもよく、電子インク繊維と一般の織物繊維を網構造に構成して形成されてもよい。電子インク繊維と一般の織物繊維のツイスト構造を有する変色繊維で製織された生地の場合、電子インク繊維に前述した第１電極および第２電極を形成せず、製織された生地の一面とその反対面に第１電極および第２電極を形成することができる。
【０１６５】
電子インクは前述したコレステリック液晶のように双安定性を有するので、スマート衣類４００のデザインの変更に必要な電力を最小化することができる。
【０１６６】
図２６は、開示された実施例に係るスマート衣類４００の変色繊維のうち電気変色繊維を示した図面である。図２６に図示されたように、電気変色繊維４８０は、第１電極４８２、前記第１電極の外部に設けられるカウンター電極（ｃｏｕｎｔｅｒ  ｅｌｅｃｔｒｏｄｅ）４８９、前記カウンター電極の外部に設けられる電解質４８７、前記電解質の外部に設けられる作用電極（ｗｏｒｋｉｎｇ  ｅｌｅｃｔｒｏｄｅ）４８５、前記作用電極の外部に設けられる第２電極４８３および前記第２電極をカバーするように設けられた保護層４８１を含むことができる。また、図示してはいないが、電気変色繊維の内部には繊維の形状を維持するための隔壁が設けられてもよい。本実施例において、第１電極は繊維の内部に設けられるので内部電極と称して説明し、第２電極は外部電極と称して説明する。
【０１６７】
内部電極および外部電極は、連結モジュール４２０のドライバー４２１から電圧が印加される電極であって、透明な導電物質で構成される透明電極であり得る。透明導電物質の例としては、ＩＴＯ（Ｉｎｄｉｕｍ  Ｔｉｎ  Ｏｘｉｄｅ、ＩＴＯ）、ＩＺＯ（Ｉｎｄｉｕｍ  Ｚｉｎｃ  Ｏｘｉｄｅ、ＩＺＯ）、アルミニウムドーピングされたＺＡＯ（Ａｌｕｍｉｎｉｕｍ  ｄｏｐｅｄ  Ｚｉｎｃ  Ｏｘｉｄｅ、ＺＡＯ）、銀ナノワイヤー（ＡｇＮＷ）等が挙げられる。
【０１６８】
電解質は、内部電極および外部電極に電圧が印加されるとイオン化して電荷またはイオンを供給する物質であって、固体電解質または液体電解質が使用され得る。
【０１６９】
作用電極とカウンター電極のうち少なくとも一つは変色素材を含む。例えば、作用電極は還元されながら変色する素材を含むことができ、カウンター電極は酸化されながら変色する素材を含むことができるが、作用電極とカウンター電極はいずれも前述した変色素材を含んでもよく、いずれか一つのみが前述した変色素材を含み、残りの一つはイオン収容電極を含んでもよい。
【０１７０】
代表的な還元変色素材としては、ＷＯ３、ＭｏＯ３  ＴｉＯ２などがあり、酸化変色素材としては、Ｉｒ（ＯＨ）ｘ、Ｎｉ（ＯＨ）２、Ｒｈ２Ｏ３等がある。電気変色繊維は、変色素材に他の赤色、緑色、青色およびその組み合わせの色を具現することができ、透明な状態に変更することもできる。外部電極をカバーする保護層は、一般の織物繊維やメッシュ形態の繊維をコーティングすることによって形成され得る。保護層を一般の織物繊維を用いることによって、電気変色繊維に一般の織物繊維の質感を付与することができる。内部電極と外部電極は連結モジュール４２０のドライバー４２１と連結され、ドライバー４２１はプロセッサ４２３の制御信号に応じて内部電極および外部電極に電圧を印加してスマート衣類４００のデザインを変更することができる。
【０１７１】
本実施例に係るスマート衣類４００の生地は、コレステリック液晶繊維を利用した実施例のように、電気変色繊維と一般の織物繊維を混合して形成され得る。電気変色素材も前述したコレステリック液晶のように双安定性を有するので、スマート衣類４００のデザインの変更に必要な電力を最小化することができる。
【０１７２】
図２７は、開示された実施例に係るスマート衣類４００の変色繊維のうち電気発光繊維を示した図面である。
【０１７３】
前述したコレステリック液晶繊維、電子インク繊維および電気変色繊維が反射型繊維であるのに対し、図２７に開示された電気発光繊維４９０は自己発光型繊維である。したがって、電気発光繊維を用いてスマート衣類４００の生地を形成する場合、スマート衣類４００の連結モジュール４２０はバッテリー４２９を含む。
【０１７４】
図２７（ａ）に図示されたように、電気発光繊維は、第１電極４９７と、第１電極の外部に設けられる発光素材４９５、発光素材の外部に設けられる第２電極４９３および第２電極をカバーする保護層４９１を含むことができる。それぞれの電気発光繊維は、赤色、緑色または青色を発する発光素材を用いることができ、このような互いに異なる発光素材を用いる繊維を一般の織物繊維と共に製織してスマート衣類４００の生地を形成することができる。
【０１７５】
本実施例において、第１電極は繊維の内部に設けられるので内部電極と称して説明し、第２電極は外部電極と称して説明する。
【０１７６】
他の実施例として、図２７（ｂ）に図示されたように、発光素材として白色光を発する素材を用い、赤色光、緑色光および青色光をそれぞれ透過させるカラーフィルター４９２ａ、４９２ｂ、４９２ｃを外部電極の外面に付着して電気発光繊維を形成することもできる。この時、図２７（ｂ）に図示されたように、それぞれの外部電極は互いに離隔して設けられ、離隔して設けられたそれぞれの外部電極に前述したカラーフィルターが付着される。この場合、それぞれの外部電極は連結モジュール４２０のドライバー４２１により個別的に制御され得る。発光素材の内部には繊維の形状を維持するための隔壁４９６が設けられてもよい。
【０１７７】
さらに他の実施例として、図２７（ｃ）に図示されたように、発光素材として赤色光、緑色光および青色光を発するそれぞれの素材４９５ａ、４９５ｂ、４９５ｃを用い、各素材の外部にそれぞれ外部電極を設けて電気発光繊維を形成することもできる。この時、図２７（ｃ）に図示されたように、それぞれの外部電極は互いに離隔して設けられ、連結モジュール４２０のドライバー４２１により個別的に制御され得る。
【０１７８】
さらに他の実施例として、図２７（ｄ）に図示されたように、一般の織物繊維４９４で電気発光繊維のコアを形成し、織物繊維の外部に互いに離隔して設けられた３個の内部電極を形成する。そして、各内部電極の外部に発光素材として赤色光、緑色光および青色光を発するそれぞれの素材４９５ａ、４９５ｂ、４９５ｃを形成し、各素材の外部にそれぞれ外部電極を設けて電気発光繊維を形成することもできる。本実施例において互いに異なる発光素材に電圧を印加する内部電極、外部電極は連結モジュール４２０のドライバー４２１により個別的に制御され得る。
【０１７９】
内部電極と外部電極は透明な導電物質で構成される透明電極であって、透明導電物質の例としては、ＩＴＯ（Ｉｎｄｉｕｍ  Ｔｉｎ  Ｏｘｉｄｅ、ＩＴＯ）、ＩＺＯ（Ｉｎｄｉｕｍ  Ｚｉｎｃ  Ｏｘｉｄｅ、ＩＺＯ）、アルミニウムドーピングされたＺＡＯ（Ａｌｕｍｉｎｉｕｍ  ｄｏｐｅｄ  Ｚｉｎｃ  Ｏｘｉｄｅ、ＺＡＯ）、銀ナノワイヤー（ＡｇＮＷ）等が挙げられる。内部電極と外部電極は面の形態で形成されてもよく、線の形態で形成されてもよい。
【０１８０】
保護層は一般の織物繊維やメッシュ形態の繊維をコーティングすることによって形成され得る。保護層を一般の織物繊維を用いることによって、電気発光繊維に一般の織物繊維の質感を付与することができる。前述したように内部電極と外部電極は連結モジュール４２０のドライバー４２１と連結され、ドライバー４２１はプロセッサ４２３の制御信号に応じて内部電極および外部電極に電圧を印加してスマート衣類４００のデザインを変更することができる。
【０１８１】
本実施例に係るスマート衣類４００の生地は、コレステリック液晶繊維を利用した実施例のように、電気変色繊維と一般の織物繊維を混合して形成され得る。
【図１】
2019504372.tif 000003
【図２】
2019504372.tif 000004
【図３】
2019504372.tif 000005
【図４】
2019504372.tif 000006
【図５】
2019504372.tif 000007
【図６】
2019504372.tif 000008
【図７】
2019504372.tif 000009
【図８】
2019504372.tif 000010
【図９】
2019504372.tif 000011
【図１０】
2019504372.tif 000012
【図１１】
2019504372.tif 000013
【図１２】
2019504372.tif 000014
【図１３】
2019504372.tif 000015
【図１４】
2019504372.tif 000016
【図１５】
2019504372.tif 000017
【図１６】
2019504372.tif 000018
【図１７（ａ）】
2019504372.tif 000019
【図１７（ｂ）】
2019504372.tif 000020
【図１７（ｃ）】
2019504372.tif 000021
【図１８】
2019504372.tif 000022
【図１９】
2019504372.tif 000023
【図２０（ａ）】
2019504372.tif 000024
【図２０（ｂ）】
2019504372.tif 000025
【図２０（ｃ）】
2019504372.tif 000026
【図２０（ｄ）】
2019504372.tif 000027
【図２０（ｅ）】
2019504372.tif 000028
【図２１（ａ）】
2019504372.tif 000029
【図２１（ｂ）】
2019504372.tif 000030
【図２２（ａ）】
2019504372.tif 000031
【図２２（ｂ）】
2019504372.tif 000032
【図２３（ａ）】
2019504372.tif 000033
【図２３（ｂ）】
2019504372.tif 000034
【図２４】
2019504372.tif 000035
【図２５】
2019504372.tif 000036
【図２６】
2019504372.tif 000037
【図２７（ａ）】
2019504372.tif 000038
【図２７（ｂ）】
2019504372.tif 000039
【図２７（ｃ）】
2019504372.tif 000040
【図２７（ｄ）】
2019504372.tif 000041
【国際調査報告】
2019504372.tif 000042
2019504372.tif 000043
2019504372.tif 000044
2019504372.tif 000045